(57)【要約】【課題】安価な構成で、被洗浄面に傷をつけたり打痕を残したりすること無く、汚れの除去性能、洗浄性能に優れた洗車ブラシ及び洗車装置を提供する事を目的とする。【解決手段】筒状で、少なくとも一端から内部に流体が供給されると共に周壁２ａに少なくとも１個の流出口３を有する回転軸２と、回転軸２の長手方向に沿って設けられると共に流出口３から排出される流体により袋状に膨張する清掃体４からなるもので、構成が簡単で、製造、組み立てが容易で、しかも、流体の圧力により膨張した清掃体４が被洗浄面に強く押さえつけられると共に、被洗浄面との接触面積が大きいので、洗浄性能が著しく向上する。また、流体で膨張した清掃体４は、車体などの被洗浄物の表面の形状、凹凸に沿って容易に変形するので、洗浄洩れが発生することが無く、また清掃体４が、被洗浄面に面で接するため、被洗浄面に傷をつけたり、打痕をつけることも無い。【選択図】      図１
2008105443.tif 000002
【特許請求の範囲】
【請求項１】
筒状で、少なくとも一端から内部に流体が供給されると共に周壁に少なくとも１個の流出口を有する回転軸と、前記回転軸の長手方向に沿って設けられると共に前記流出口から排出される前記流体により袋状に膨張する清掃体からなる洗車ブラシ。
【請求項２】
１個の清掃体を、回転軸の長手方向に沿って且つ前記回転軸の全周を覆うように設けた請求項１に記載の洗車ブラシ。
【請求項３】
清掃体を回転軸の長手方向に沿って螺旋状に配した請求項１に記載の洗車ブラシ。
【請求項４】
回転軸に流出口を複数設けると共に、清掃体を複数に分割して前記回転軸に設けた請求項１に記載の洗車ブラシ。
【請求項５】
筒状で、少なくとも一端から内部に流体が供給されると共に周壁に少なくとも１個の流出口を有する回転軸と、前記回転軸の長手方向に沿って設けられると共に前記流出口から排出される前記流体により袋状に膨張する袋体と、前記袋体を覆うように取着される清掃体からなる洗車ブラシ。
【請求項６】
回転軸又は／及び清掃体に、流体を外部に排出するための排出口を形成した請求項１〜５のいずれか１項に記載の洗車ブラシ。
【請求項７】
請求項１〜６のいずれか１項に記載の洗車ブラシと、前記洗車ブラシの回転軸を回転駆動する駆動手段と、前記回転軸に空気を供給するコンプレッサーと、被洗浄面に洗浄水及び洗浄剤を噴射する複数のノズルと、洗浄後の前記被洗浄面を乾燥させる乾燥手段を備えた洗車装置。
【発明の詳細な説明】
【技術分野】
【０００１】
本発明は、洗車ブラシ及びそれを用いた洗車装置に関するものである。
【背景技術】
【０００２】
従来のこの種の洗車ブラシとして、回転軸の外周の周方向複数位置のそれぞれにスパイラル線に沿ってブラシ単体を取付けて構成したものがある（例えば、特許文献１参照）。このように構成された従来の洗車ブラシは、回転軸にスパイラル状に取り付けられたブラシ単体の先端が、被洗浄面に連続的に当接するので、ブラシ単体のブラシエッジによる汚れの掻き取り性能に優れている。
【０００３】
また、管状本体と、その管状本体の外周に支持されたブラシ毛から構成され、前記管状本体内に、流体を搬送するチャンネルを複数設け、内側から外側に向かってブラシ毛に流体を噴霧するようにした洗車ブラシがある（例えば、特許文献２参照）。このように構成された従来の洗車ブラシは、ブラシ毛に流体が噴霧されるため、ブラシ毛による洗浄効果は、大である。
【０００４】
また、回転体の外周に、円盤状にまたは軸方向にずらしながら螺旋状に洗浄体を取付けて構成した洗車ブラシもある（例えば、特許文献３参照）。
【０００５】
【特許文献１】特開２００５−１７０２２１号公報
【特許文献２】特表２００３−５２５７２８号公報
【特許文献３】特許第３５８５１７８号
【発明の開示】
【発明が解決しようとする課題】
【０００６】
しかしながら、上記特許文献１に記載された従来の洗車ブラシの構成では、ブラシ単体が回転軸にスパイラル状に取り付けられているので、被洗浄面との接触面積が小さく、効率的に汚れを除去することが困難であった。また、ブラシ単体を回転軸にスパイラル状に取り付けるために、回転軸をスパイラル状に捻ったり、ブラシ単体を装着する取付溝をスパイラル状に形成することは、コスト高の要因となり、洗車ブラシの工業用途に不向きであった。さらに、洗車ブラシの回転時に、ブラシ単体の先端で、被洗浄面を叩くような作用が働くため、被洗浄面に傷をつけたり打痕がつくなどの課題があった。
【０００７】
また、上記特許文献２に記載された従来の洗車ブラシの構成では、ブラシ毛に流体を噴霧し、ブラシ毛と流体噴霧の相乗効果により、汚れを除去するものの、ブラシ毛とブラシ毛の間には隙間が生じやすく、ブラシ毛が当たらない部分は洗い残しが発生するという課題を有していた。
【０００８】
また、上記特許文献３に記載された従来の洗車ブラシの構成では、軸方向に配設された洗浄体の間に隙間が生じ、洗い残しが発生し、洗浄性能が悪いという課題があった。
【０００９】
本発明は、前記従来の課題を解決するもので、安価な構成で、被洗浄面に傷をつけたり打痕を残したりすること無く、汚れの除去性能、洗浄性能に優れた洗車ブラシ及び洗車装置を提供する事を目的とする。
【課題を解決するための手段】
【００１０】
前記従来の課題を解決するために、本発明の洗車ブラシは、筒状で、少なくとも一端から内部に流体が供給されると共に周壁に少なくとも1個の流出口を有する回転軸と、前記回転軸の長手方向に沿って設けられると共に前記流出口から排出される前記流体により袋状に膨張する清掃体からなるもので、構成が簡単なので、製造、組み立てが容易で、しかも、流体の圧力により膨張した清掃体が被洗浄面に強く押さえつけられると共に、被洗浄面との接触面積が大きいので、洗浄性能が著しく向上する。また、流体で膨張した清掃体は、車体などの被洗浄物の表面の形状、凹凸に沿って容易に変形するので、洗浄洩れが発生することが無く、また清掃体が、被洗浄面に面で接するため、被洗浄面に傷をつけたり、打痕をつけることも無い。さらに、清掃体に供給する流体の圧力を、被洗浄面の汚れが重度の場合は、上げ、被洗浄面の汚れが軽度の場合は、下げるなど、被洗浄面の汚れに応じて、流体の圧力を変える事で、さらに効率の良い洗浄を行うことができる。
【００１１】
また、本発明の洗車ブラシは、筒状で、少なくとも一端から内部に流体が供給されると共に周壁に少なくとも１個の流出口を有する回転軸と、前記回転軸の長手方向に沿って設けられると共に前記流出口から排出される前記流体により袋状に膨張する袋体と、前記袋体を覆うように取着される清掃体からなるもので、流体の圧力により膨張した袋体により清掃体が被洗浄面に強く押さえつけられると共に、被洗浄面との接触面積が大きいので、洗浄性能が著しく向上する。また、流体で膨張した袋体により、清掃体が、車体などの被洗浄物の表面の形状、凹凸に沿って容易に変形するので、洗浄洩れが発生することが無く、また清掃体が、被洗浄面に面で接するため、被洗浄面に傷をつけたり、打痕をつけることも無い。また、清掃体が破損した場合は、洗車ブラシ全体を交換する必要は無く、清掃体のみを交換するだけで済むので、メンテナンスが容易で、しかもコストも低減できる。さらに、袋体に供給する流体の圧力を、被洗浄面の汚れが重度の場合は、上げ、被洗浄面の汚れが軽度の場合は、下げるなど、被洗浄面の汚れに応じて、流体の圧力を変える事で、さらに効率の良い洗浄を行うことができる。
【００１２】
本発明の洗車装置は、請求項１〜６のいずれか１項に記載の洗車ブラシと、前記洗車ブラシの回転軸を回転駆動する駆動手段と、前記回転軸に空気を供給するコンプレッサーと、被洗浄面に洗浄水及び洗浄剤を噴射する複数のノズルと、洗浄後の前記被洗浄面を乾燥させる乾燥手段を備えたもので、車体などの被洗浄面に傷をつけたり、打痕をつけることが無く、洗浄性能に優れた洗車装置を提供することができる。
【発明の効果】
【００１３】
本発明の洗車ブラシ及び洗車装置は、安価な構成で、被洗浄面に傷をつけたり打痕を残したりすること無く、汚れの除去性能、洗浄性能に優れたものである。
【発明を実施するための最良の形態】
【００１４】
第１の発明は、筒状で、少なくとも一端から内部に流体が供給されると共に周壁に少なくとも１個の流出口を有する回転軸と、前記回転軸の長手方向に沿って設けられると共に前記流出口から排出される前記流体により袋状に膨張する清掃体からなるもので、構成が簡単なので、製造、組み立てが容易で、しかも、流体の圧力により膨張した清掃体が被洗浄面に強く押さえつけられると共に、被洗浄面との接触面積が大きいので、洗浄性能が著しく向上する。また、流体で膨張した清掃体は、車体などの被洗浄物の表面の形状、凹凸に沿って容易に変形するので、洗浄洩れが発生することが無く、また清掃体が、被洗浄面に面で接するため、被洗浄面に傷をつけたり、打痕をつけることも無い。さらに、清掃体に供給する流体の圧力を、被洗浄面の汚れが重度の場合は、上げ、被洗浄面の汚れが軽度の場合は、下げるなど、被洗浄面の汚れに応じて、流体の圧力を変える事で、さらに効率の良い洗浄を行うことができる。
【００１５】
第２の発明は、特に、第１の発明の１個の清掃体を、回転軸の長手方向に沿って且つ前記回転軸の全周を覆うように設けたもので、被洗浄面に、清掃体の表面が途切れること無く接触するので、洗浄漏れが発生することがなく、また、洗浄して汚れを除去しながら、被洗浄面を磨くこともできる。
【００１６】
第３の発明は、特に、第１の発明の清掃体を回転軸の長手方向に沿って螺旋状に配したもので、螺旋状の清掃体の間に形成された凹部により、被洗浄面に付着している汚れが掻き出されるので、洗浄性能が大幅に向上する。
【００１７】
第４の発明は、特に、第１の発明の回転軸に流出口を複数設けると共に、清掃体を複数に分割して前記回転軸に設けたもので、万が一清掃体の一個が破けて、膨張しなくなっても、他の清掃体で被洗浄面の洗浄が続けられるので、洗浄作業が中断されることが無い。また、隣り合う清掃体間に形成された凹部により、被洗浄面に付着している汚れが掻き出されるので、洗浄性能が大幅に向上する。
【００１８】
第５の発明は、筒状で、少なくとも一端から内部に流体が供給されると共に周壁に少なくとも１個の流出口を有する回転軸と、前記回転軸の長手方向に沿って設けられると共に前記流出口から排出される前記流体により袋状に膨張する袋体と、前記袋体を覆うように取着される清掃体からなるもので、流体の圧力により膨張した袋体により清掃体が被洗浄面に強く押さえつけられると共に、被洗浄面との接触面積が大きいので、洗浄性能が著しく向上する。また、流体で膨張した袋体により、清掃体が、車体などの被洗浄物の表面の形状、凹凸に沿って容易に変形するので、洗浄洩れが発生することが無く、また清掃体が、被洗浄面に面で接するため、被洗浄面に傷をつけたり、打痕をつけることも無い。また、清掃体が破損した場合は、洗車ブラシ全体を交換する必要は無く、清掃体のみを交換するだけで済むので、メンテナンスが容易で、しかもコストも低減できる。さらに、袋体に供給する流体の圧力を、被洗浄面の汚れが重度の場合は、上げ、被洗浄面の汚れが軽度の場合は、下げるなど、被洗浄面の汚れに応じて、流体の圧力を変える事で、さらに効率の良い洗浄を行うことができる。
【００１９】
第６の発明は、特に、第１〜５のいずれか一つの発明の回転軸又は／及び清掃体に、流体を外部に排出するための排出口を形成したもので、洗車ブラシの回転時に、膨張した清掃体が何らかの衝撃を受けても、中の空気が排出口から排出されて衝撃が弱められ、洗車ブラシに無理な力が加わることが無い。
【００２０】
第７の発明は、請求項１〜６のいずれか１項に記載の洗車ブラシと、前記洗車ブラシの回転軸を回転駆動する駆動手段と、前記回転軸に空気を供給するコンプレッサーと、被洗浄面に洗浄水及び洗浄剤を噴射する複数のノズルと、洗浄後の前記被洗浄面を乾燥させる乾燥手段を備えたもので、車体などの被洗浄面に傷をつけたり、打痕をつけることが無く、洗浄性能に優れた洗車装置を提供することができる。
【００２１】
以下、本発明の実施例について、図面を参照しながら説明する。なお、この実施例によって本発明が限定されるものではない。
【００２２】
（実施例１）
図１は、本発明の第１の実施例における洗車ブラシの一部を切り抜いた斜視図、図２は、同洗車ブラシの断面図、図３は、図２のＡ−Ａ断面図、図４は、同洗車ブラシを取り付けた洗車装置で車体を洗浄する際の様子を示す断面図である。
【００２３】
図１〜３において、本実施例における洗車ブラシ１は、金属材料からなり筒状で、少なくとも一端から内部に、空気や液体などの流体が供給されると共に周壁２ａに複数の流出口３を有する回転軸２と、前記回転軸２の長手方向に沿って設けられると共に前記流出口３から排出される前記流体により袋状に膨張する清掃体４から構成されている。
【００２４】
清掃体４は、車体表面などの被洗浄面（図示せず）の汚れを除去するためのもので、不織布、織布、編物などの布帛、合成樹脂発泡体、人工皮革、合成皮革、フイルム状樹脂シート、エラストマーシートなどからなり、回転軸２の長手方向に沿って且つ前記回転軸２の全周を覆うように袋状に形成され、その両端が回転軸２の外周に接着や金属リング（図示せず）などにより気密に固着されている。
【００２５】
なお、清掃体４を、不織布、織布、編物などの布帛、合成樹脂発泡体など空気を通す材料で形成する場合は、流出口３から供給される流体が外部に漏れないようにするため、裏面に、ゴムや樹脂材を塗布又は含浸させるようにする。
【００２６】
また、清掃体４を、人工皮革、合成皮革、フイルム状樹脂シート、エラストマーシートなど、繊維材料以外の材料を用いる場合は、洗浄性能を高めるために、清掃体４の表面に、細い突起を無数に形成しておくと良い。
【００２７】
回転軸２の一端は、図２に示すように閉塞され、他端に、洗車装置（図示せず）に取り付けられたコンプレッサー（図示せず）から、空気などの流体が供給されるようになっている。
【００２８】
以上のように構成された本実施例における洗車ブラシの動作、作用について、図４を用いて説明する。
【００２９】
図４は、洗車ブラシ１を取り付けた洗車装置で、車体の表面を洗浄する際の様子を示す断面図である。
【００３０】
洗車装置に取り付けられたコンプレッサーより、洗車ブラシ１の回転軸２の一端より、流体として空気を供給すると、その空気が流出口３より袋状の清掃体４内に送られる。そして清掃体４が十分膨張し切った後、この洗車ブラシ１を図示しない駆動手段で回転させながら、図４に示すように、車体７の表面に押し付けながら、前部から後部或いは後部から前部にかけて移動させる。洗車ブラシ１は、図４に示すように、車体７の表面の形状、凹凸に沿って容易に変形しながら移動する。勿論、この間、洗車装置から洗浄剤や洗浄液が車体７及び／又は洗車ブラシ１に噴射されるのは言うまでも無い。
【００３１】
なお、清掃体４に供給する空気の圧力は、車体４の汚れ具合に応じて適宜調整するものとする。例えば、車体７の汚れがひどいときは、圧力を上げ、車体７の汚れが軽度の場合は、圧力を下げるようにすれば、効率の良い洗浄を行うことができる。
【００３２】
以上のように、本実施例における洗車ブラシによれば、構成が簡単なので、製造、組み立てが容易で、しかも、空気などの流体の圧力により膨張した清掃体４が車体７などの被洗浄面に強く押さえつけられると共に、被洗浄面との接触面積が大きいので、洗浄性能が著しく向上する。また、流体で膨張した清掃体４は、車体７などの被洗浄物の表面の形状、凹凸に沿って容易に変形するので、洗浄洩れが発生することが無く、また清掃体４が、被洗浄面に面で接するため、被洗浄面に傷をつけたり、打痕をつけることも無い。
【００３３】
また、本実施例では、１個の清掃体４を、回転軸２の長手方向に沿って且つ前記回転軸２の全周を覆うように設けているので、清掃体４の表面が被洗浄面に、途切れること無く接触し、洗浄漏れが発生することがなく、また、洗浄して汚れを除去しながら、被洗浄面を磨くこともできる。
【００３４】
なお、図５に示すように、回転軸２や清掃体４の一部に、空気を外に排出するための排出口２ｂ、４ａを設けるようにすれば、洗車ブラシ１の回転時に、膨張した清掃体４が車体７の突起物などにより何らかの強い衝撃を受けても、中の空気が排出口２ｂ、４ａから排出されて衝撃が弱められ、洗車ブラシ１や洗車ブラシ１を駆動する駆動手段に無理な力が加わるのを防止することが出来る。
【００３５】
(実施例２)
図６は、本発明の第２の実施例における洗車ブラシの斜視図である。なお、上記第１の実施例と同一部品については、同一符号を付してその説明を省略する。
【００３６】
本実施例における洗車ブラシ９は、図６に示すように、周壁に複数の流出口３を設けた回転軸２の外周長手方向に袋状の清掃体１０を螺旋状に設けて形成したものである。清掃体１０には、回転軸２に設けた流出口３と連通する穴１０ａが複数設けられ、その穴１０ａの開口縁が回転軸２の外周に気密に接するように、清掃体１０が回転軸４に取り付けられている。清掃体１０は、第１の実施例における清掃体４と同一材料から形成されている。
【００３７】
以上のように、本実施例における洗車ブラシ９は、回転軸２に袋状の清掃体１０を螺旋状に巻きつけて固定するだけなので、簡単に、しかも安価に組み立てることができる。また、螺旋状の清掃体１０の間に形成された螺旋状の凹部１１により、被洗浄面に付着している汚れが、効果的に掻き出されるので、洗浄性能も大幅に向上するものである。
【００３８】
(実施例３)
図７は、本発明の第３の実施例における洗車ブラシの断面図である。なお、上記実施例と同一部品については、同一符号を付してその説明を省略する。
【００３９】
本実施例における洗車ブラシ１４は、図７に示すように、袋状の清掃体１５を回転軸２に被せた後、金属棒などからなる分割部材１６で、清掃体Ａ１５ａ、清掃体Ｂ１５ｂ、清掃体Ｃ１５ｃと３分割して、回転軸２に取り付け、３分割されたそれぞれと流出口３を連通させて、清掃体Ａ１５ａ〜清掃体Ｃ１５ｃのそれぞれを膨張させるようにしたものである。なお、清掃体１５も、第１の実施例における清掃体４と同一材料から形成されている。
【００４０】
本実施例における洗車ブラシ１４は以上のように構成されているので、万が一清掃体Ａ１５ａ、清掃体Ｂ１５ｂ、清掃体Ｃ１５ｃの内の一個、例えば、清掃体Ｂ１５ｂが破けて、膨張しなくなっても、他の清掃体Ａ、Ｃ１５ａ、１５ｃで被洗浄面の洗浄が続けられるので、洗浄作業が中断されることが無い。また、隣り合う清掃体間に形成された凹部１７により、被洗浄面に付着している汚れが掻き出されるので、洗浄性能が大幅に向上する。なお、清掃体Ａ１５ａ、清掃体Ｂ１５ｂ、清掃体Ｃ１５ｃを別々に形成し、それを均等に回転軸２の外周に取りつけても良いが、本実施例のように、一つの袋状の清掃体１５を分割部材１６で三つに分割したほうが、製造、組み立てがはるかに容易であることは、言うまでも無い。
【００４１】
また、上記実施例では、清掃体１５を３分割したが、勿論これに限定されるものではなく、２分割、４分割でも良い。
【００４２】
図８は、清掃体１５を複数に分割して回転軸２に取り付ける他の洗車ブラシの例を示すもので、同図８に示すように、洗車ブラシ１９は、一つの袋状の清掃体２０を、回転軸２に被せ、回転軸２の長手方向に沿って、所定の間隔を置きながら、分割部材２１で、順に回転軸２の外周に止めて、複数の膨張部２０ａを形成し、それぞれの膨張部２０ａに対応する位置にある流出口３から空気が供給されたときに、各膨張部２０ａがドーナツ状に膨張するようにしたものである。
【００４３】
以上のように、上記洗車ブラシ１９は、洗浄時に、回転軸２上に複数の膨張部２０ａがドーナツ状に膨張して連続的に配置されることになるので、曲線部分の多い車体の表面形状に応じてそれぞれが独立して変形しながら密着して当接するので、洗い残しの発生を抑えることができ、洗浄性能を大幅に向上させることが出来る。
【００４４】
(実施例４)
図９は、本発明の第４の実施例における洗車ブラシの斜視図である。なお、上記実施例と同一部品については、同一符号を付してその説明を省略する。
【００４５】
図９において、本実施例における洗車ブラシ２５は、複数の流出口３を有する回転軸２の長手方向に沿って回転軸２を覆うように設けられると共に、前記流出口３から排出される空気などの流体により袋状に膨張する袋体２６と、前記袋体２６を覆うように取着される清掃体２７から構成されている。
【００４６】
袋体２６は、不織布、織布、編物などの布帛、合成樹脂発泡体、人工皮革、合成皮革、フイルム状樹脂シート、エラストマーシートなどのいずれか或いはそれらを組み合わせて形成され、両端の外周及び長手方向の一部に、多数のループを有する面ファスナー２８ａが取り付けられている。
【００４７】
清掃体２７は、第１の実施例における清掃体４と同一材料からなり、前記袋体２６への装着を容易にするために、シート状に形成され、袋体２６に設けた面ファスナー２８ａと対向する位置に、多数のフックを有する面ファスナ−２８ｂが固着されており、清掃体２７を、面ファスナー２８ｂを面ファスナ−２８ａに押さえつけながら、袋体２６の外周に巻きつけることで、清掃体２７の袋体２６への装着が完了する。
【００４８】
本実施例における洗車ブラシ２５は、以上のように構成されているので、流体の圧力により膨張した袋体２６により清掃体２７が被洗浄面に強く押さえつけられると共に、被洗浄面との接触面積が大きいので、洗浄性能が著しく向上する。また、流体で膨張した袋体２６により、清掃体２７が、車体などの被洗浄物の表面の形状、凹凸に沿って容易に変形するので、洗浄洩れが発生することが無く、また清掃体２７が、被洗浄面に面で接するため、被洗浄面に傷をつけたり、打痕をつけることも無い。
【００４９】
また、清掃体２７が破損した場合は、洗車ブラシ２５全体を交換する必要は無く、清掃体２７のみを交換するだけで済むので、メンテナンスが容易で、しかもコストも低減できる。清掃体２７の交換についても、本実施例では、面ファスナー２８ａ、２８ｂを用いているので、きわめて容易に行うことができる。
【００５０】
さらに、袋体２６に供給する流体の圧力を、被洗浄面の汚れが重度の場合は、上げ、被洗浄面の汚れが軽度の場合は、下げるなど、被洗浄面の汚れに応じて、流体の圧力を変えるようにすれば、さらに、効率の良い洗浄を行うことができる。
【００５１】
(実施例５)
図１０は、本発明の第５の実施例における洗車装置の概略構成を示す正面図である。なお、上記実施例における洗車ブラシと同一部品については、同一符号を付してその説明を省略する。
【００５２】
図１０において、本実施例における洗車装置５１は、それぞれ回転軸３５ａと清掃体３５ｂからなり、車体（図示せず）の天面と、側面を洗浄する３つの洗車ブラシ３５と、それぞれの洗車ブラシ３５の回転軸３５ａを回転駆動する駆動手段３６と、それぞれの回転軸３５ａに空気を供給するコンプレッサー３７と、車体に洗浄水及び洗浄剤を噴射する複数のノズル３８と、ノズル３８に洗浄剤や洗浄水を圧送するポンプ３９と、洗浄後の車体を乾燥させる乾燥手段４０と、洗車装置５１の運転の入り切りを行うための運転スイッチ４１と、駆動手段３６、コンプレッサー３７、ポンプ３９、乾燥手段４０の運転を制御する制御手段４２を備えている。洗車ブラシ３５は、上記実施例における洗車ブラシ１、９、１４、１９、２５のいずれかと同一で、また、洗車ブラシ３５の回転軸３５ａも、同じく上記実施例における回転軸２と同一である。
【００５３】
以上のように構成された本実施例における洗車装置５１の動作、作用は、以下の通りである。
【００５４】
まず、使用者又は運転者が、車体を所定の場所に止めて、運転スイッチ４１を操作して洗車装置５１の運転を開始する。すると、制御手段４２により、コンプレッサー３７に通電されて、洗車ブラシ３５の回転軸３５ａに空気が圧送され、空気の圧力が、清掃体３５ｂ（上記実施例における清掃体４、１０、１５、２０、２７のいずれかと同一）が十分膨張或いはそれを支える袋体２６が十分膨張するほどの圧力に達したことが圧力センサ（図示せず）等で検知されると、駆動手段３６の運転が開始し、洗車ブラシ３５が回転し、同時にノズル３８より洗浄剤が噴射され、この状態で洗車装置５１が移動しながら洗浄工程が行われる。洗浄工程を終えると、再び、洗車ブラシ３５が回転しながら、ノズル３８より、水が噴射されてすすぎが行なわれる。使用者又は運転者がワックスがけを選択している場合は、すすぎ工程の後に、ワックスがけが自動で行なわれる。そして最後に、洗車装置５１が移動しながら乾燥手段４０から車体に向けて高温の空気が高速で吹き付けられ、水の弾き飛ばしと同時に車体を乾燥させる乾燥工程が行なわれ、全工程が終了する。
【００５５】
本実施例における洗車装置５１は、以上のように、車体などの被洗浄面に傷をつけたり、打痕をつけることが無く、洗浄性能に優れた洗車ブラシ３５を使用しているので、車体に対しやさしく、且つ洗浄性能に優れた洗車装置５１を提供することができる。
【産業上の利用可能性】
【００５６】
以上のように、本発明にかかる洗車ブラシは、車体などの被洗浄面に傷をつけたり、打痕をつけることが無く、洗浄性能に優れたもので、洗車装置に限らず、各種洗浄装置にも応用できるものである。
【図面の簡単な説明】
【００５７】
【図１】本発明の第１の実施例における洗車ブラシの一部を切り抜いた斜視図
【図２】同洗車ブラシの断面図
【図３】図２のＡ−Ａ断面図
【図４】同洗車ブラシを取り付けた洗車装置で車体を洗浄する際の様子を示す断面図
【図５】他の例を示す洗車ブラシの断面図
【図６】本発明の第２の実施例における洗車ブラシの斜視図
【図７】本発明の第３の実施例における洗車ブラシの断面図
【図８】他の例を示す洗車ブラシの断面図
【図９】本発明の第４の実施例における洗車ブラシの斜視図
【図１０】本発明の第５の実施例における洗車装置の概略構成を示す正面図
【符号の説明】
【００５８】
１、９、１４、１９、２５、３５  洗車ブラシ
２  回転軸
３  流出口
４、１０、１５、２０、２７、３５ｂ  清掃体
７  車体
２６  袋体
３６  駆動手段
３７  コンプレッサー
３８  ノズル
３９  ポンプ
４０  乾燥手段
５１  洗車装置
【図１】
2008105443.tif 000003
【図２】
2008105443.tif 000004
【図３】
2008105443.tif 000005
【図４】
2008105443.tif 000006
【図５】
2008105443.tif 000007
【図６】
2008105443.tif 000008
【図７】
2008105443.tif 000009
【図８】
2008105443.tif 000010
【図９】
2008105443.tif 000011
【図１０】
2008105443.tif 000012